(57)【要約】      （修正有）【課題】モップの布を適度に絞って水分を取るための脱水装置において、構造が簡易かつ組み立てが簡単で、高い捻り力を発揮できる脱水装置を提供する。【解決手段】使用者がモップを脱水容器内４１に入れ、その後、施力板２１を踏み、駆動部２２が回転軸２３を支点として回転し、渦線３１を引っ張り、この時、該渦線が巻きつき方式で駆動軸３２に巻きつき、該駆動軸が引っ張られた渦線により回転し、渦巻きばね連動ユニット内３の渦巻きばね３４もねじられ、伝動軸３３及び脱水ユニット４を連動し、伴って回転する。反対に、使用者が施力板を放す時、上記ねじれた渦巻きばねが回復の作用力を発生し、駆動軸を逆向きに回転させる。同様に、伝動軸及び脱水ユニットを連動し、伴って逆向きの回転を行う。反復した踏み込み、開放により、正逆回転の遠心力を利用し、脱水装置内に載置したモップの水分をとり、脱水の効果を発生する。【選択図】図２
0003152725.tif 000002
【実用新案登録請求の範囲】
【請求項１】
該本体底部に貫通孔を設ける、容器状を呈する本体と、
施力板を含み、該施力板が駆動部及び回転軸を接続し、該回転軸が軸ブラケットにピン接合し、該施力板と、該駆動部と、該回転軸と、該軸ブラケットと、が回転軸を支点として構成され、該施力板及び該駆動部をレバーアームの梃子状態構造としてなり、該駆動部上に第３固定部を設けてなる、駆動ユニットと、
弾性を有する渦線を含み、該渦線の一端が上記駆動ユニット上の第３固定部に固定接続され、該渦線の該第３固定部と固定接続するもう一端が駆動軸上の第２固定部に巻きつき固定接続されてなり、該駆動軸が更に、第１固定部を設け、弾性を有する渦巻きばねの一端を固定接続させることができ、該渦巻きばねの該第１固定部と固定されるもう一端が第１渦巻きばねソケット及び第２渦巻きばねソケット内に固定され、該第１渦巻きばねソケット及び該第２渦巻きばねソケットが上記本体外に固定され、該駆動軸の上記渦線と固定接続されるもう一端が上記本体の貫通孔を貫通する伝動軸に接続し、該伝動軸と上記第１渦巻きばねソケットの間にスリーブを設けてなる、渦巻き連動ユニットと、
脱水ユニットであって、該脱水ユニットは、上記本体内に位置し、上記渦巻きばね連動ユニットの伝動軸の駆動軸と接続せるもう一端に設置され、該脱水ユニットが脱水容器を有し、該脱水容器表面に複数の脱水孔を設ける脱水ユニットと、
を含む脱水装置。
【請求項２】
前記本体外に収容空間を設け、該収容空間内に軸受けを設け、該駆動ユニット及び渦巻きばね連動ユニットが更に上記収容空間内に設置され、該駆動ユニットの回転軸及び軸ブラケットが該収容空間の軸受け箇所に設けられる請求項１記載の脱水装置。
【請求項３】
前記駆動部上に固定溝を設け、該渦線と該駆動部の係止箇所が該固定溝である請求項１記載の脱水装置。
【考案の詳細な説明】
【技術分野】
【０００１】
本考案は、脱水装置に関し、特に渦巻きばね駆動ユニットを有する脱水装置に関する。
【背景技術】
【０００２】
モップを使用時、地面を濡らし過ぎないようにするため、モップの布を適度に絞って水分を取る。従来のモップを絞って水分を取る方式は、直接手で絞り、使用者の両手が汚れ、力が必要とするだけでなく、力の弱い女性の使用者又は子供は、往々にして絞り水分を取ることができない。市場には、水桶の桶に沿って取り付ける絞り装置が出現しており、それは、モップを、漏斗状を呈し且つ孔を設けた器皿に置き、使用者が自らレバーを下向きに押し、モップを捻り、水を押し出すことができる。このように、使用者が両手を直接汚いモップと接触させることを回避しているが、依然として、力を費やし、操作が容易でなく、且つ施力が不当であれば、水桶がひっくり返ることもあり、より多くの困難を引き起こす。
【０００３】
業者は、更に脱水原理を利用した製品を開発しており、その構造の概要は、水桶の桶内に脱水槽を設け、該脱水槽と駆動機構が連結し、使用者は、該駆動機構の施力板を踏むだけで該駆動機構を脱水槽に転動させることができ、このように、使用者がモップを該回転する脱水槽中に入れ、脱水の効果を発生することができ、非常に便利である。
【０００４】
しかしながら、上記駆動機構は、歯車により連動する動作を行い、構成要素が複雑であり、組み立てが容易でないだけでなく、ねじり力が薄弱であり、好適な脱水力を得る為に使用者がより下方に踏み込む必要がある。
【特許文献１】特開２００２−１２５９０３号公報
【考案の概要】
【考案が解決しようとする課題】
【０００５】
本考案の目的は、構造が簡単で、組み立てが容易であり、且つ高いねじり力を有する脱水装置を提供することにある。
【課題を解決するための手段】
【０００６】
上記目的を達成する為、本考案の具体的な内容は、以下の通りである：容器状を呈する本体であって、それは、以下を有する：該本体外に設けられる収容空間であって、該収容空間内に軸受けを設け、該本体底部に貫通孔を設ける。
【０００７】
駆動ユニットは、施力板を含み、該施力板が駆動部及び回転軸を接続し、該回転軸が軸ブラケットをピン接合し、該施力板、該駆動部、該回転軸及び該軸ブラケットが回転軸を支点として構成され、該施力板及び該駆動部がレバーアームをてこ状態構造としてなり、該駆動部上に固定溝及び第３固定部を設け、該第３固定部が挿入孔であり、該駆動ユニットが上記本体の収容空間内に設けられることができ、該駆動ユニットの回転軸及び軸ブラケットが該収容空間の軸受け箇所に設けられることもできる。
【０００８】
渦巻きばね連動ユニットは、弾性を有する渦線を含み、該渦線の一端が上記駆動部上の第３固定部に固定接続され、該渦線と該駆動部の係止箇所が該駆動部の固定溝であり、該固定溝が該渦線を固定し、該渦線を該駆動部の貼合から離脱しないようにし、該渦線の該第３固定部と固定接続するもう一端が駆動軸上の第２固定部に巻きつき固定接続されてなり、該駆動軸が更に、第１固定部を設け、弾性を有する渦巻きばねの一端を固定接続させることができ、該渦巻きばねの該第１固定部と固定されるもう一端が第１渦巻きばねソケット及び第２渦巻きばねソケット内に固定され、該第１渦巻きばねソケット及び該第２渦巻きばねソケットが上記本体外の収容空間内に固定され、該駆動軸の上記渦線と固定接続されるもう一端が上記本体の貫通孔を貫通する伝動軸に接続し、該伝動軸と上記第１渦巻きばねソケットの間にスリーブを設けてなる。
【０００９】
脱水ユニットは、上記本体内に位置し、上記渦巻きばね連動ユニットの伝動軸の駆動軸と接続せるもう一端に設置され、該脱水ユニットが脱水容器を有し、該脱水容器表面に複数の脱水孔を設ける。
【考案の効果】
【００１０】
上記技術手段によって、本願が達成できる効果は、具体的に以下である：使用者が本考案により脱水の作業を行おうとする時、湿ったモップの布を例とし、使用者がモップを脱水容器内に入れ、その後、施力板を踏み、該駆動部が該回転軸を支点として回転し、渦線を引っ張り、この時、該渦線が巻きつき方式で該駆動軸に巻きつき、該駆動軸が引っ張られた渦線により回転し、渦巻きばね連動ユニット内の渦巻きばねもねじられ、伝動軸及び脱水ユニットを連動し、伴って回転する。反対に、使用者が施力板を放す時、上記ねじれた渦巻きばねが回復の作用力を発生し、駆動軸を逆向きに回転させる。同様に、伝動軸及び脱水ユニットを連動し、伴って逆向きの回転を行う。反復した踏み込み、開放により、正逆回転の遠心力を利用し、脱水装置内に載置したモップの水分をとり、脱水の効果を発生する。
【図面の簡単な説明】
【００１１】
【図１】本考案の立体外観図である。
【図２】本考案の立体分解構造図である。
【図３】本考案の局部構造拡大図である。
【図４】本考案の動作状態図である。
【図５】本考案のもう1つの動作状態図である。
【図６】本考案のさらにもう１つの動作状態図である。
【考案を実施するための形態】
【００１２】
本考案の脱水装置の構造及び発生する効果について、図面に併せ、本願の実施例を挙げ、以下に詳細に説明する。
【００１３】
図１、図２、図３に示すように、本願の脱水装置は、容器状を呈する本体１を含み、それは、以下を有する：該本体1外に設けられる収容空間１１であって、該収容空間１１内に軸受け１９を設け、該本体１底部に貫通孔１０を設ける。
【００１４】
駆動ユニット２は、施力板２１を含み、該施力板２１が駆動部２２及び回転軸２３を接続し、該回転軸２３が軸ブラケット２４をピン接合し、該施力板２１、該駆動部２２、該回転軸２３及び該軸ブラケット２４が回転軸２３を支点として構成され、該施力板２１及び該駆動部２２がレバーアームをてこ状態構造としてなり、該駆動部２２上に固定溝２２１及び第３固定部２２０を設け、該第３固定部２２０が挿入孔であり、該駆動ユニット２が上記本体１の収容空間１１内に設けられることができ、該駆動ユニット２の回転軸２３及び軸ブラケット２４が該収容空間２２の軸受け１９箇所に設けられることもできる
【００１５】
渦巻きばね連動ユニット３は、弾性を有する渦線３１を含み、該渦線３１の一端が上記駆動部２２上の第３固定部２２０に固定接続され、該渦線３１と該駆動部２２の係止箇所が該駆動部２２の固定溝２２１であり、該固定溝２２１が該渦線３１を固定し、該渦線３１を該駆動部２２の貼合から離脱しないようにし、該渦線３１の該第３固定部２２０と固定接続するもう一端が駆動軸上の第２固定部３２２に巻きつき固定接続されてなり、該駆動軸３２が更に、第１固定部３２１を設け、弾性を有する渦巻きばね３４の一端を固定接続させることができ、該渦巻きばね３４の該第１固定部３２１と固定されるもう一端が第１渦巻きばねソケット３５及び第２渦巻きばねソケット３６内に固定され、該第１渦巻きばねソケット３５及び該第２渦巻きばねソケット３６が上記本体１外の収容空間１１内に固定され、該駆動軸３２の上記渦線３１と固定接続されるもう一端が上記本体１の貫通孔１０を貫通する伝動軸３３に接続し、該伝動軸３３と上記第１渦巻きばねソケット３５の間にスリーブ３０を設けてなり、上記第１固定部３２１、第２固定部３２２及び第３固定部２２０が挿入孔であることできる。
【００１６】
脱水ユニット４は、上記本体内に位置し、上記渦巻きばね連動ユニット３の伝動軸３３の駆動軸３２と接続せるもう一端に設置され、該脱水ユニット４が脱水容器４１を有し、該脱水容器４１表面に複数の脱水孔４１０を設ける。
【００１７】
図４、図５、図６において、使用者が本考案により脱水の作業を行おうとする時、湿ったモップの布を例とし、使用者がモップを脱水容器４１内に入れ、その後、施力板２１を踏み、該駆動部２２が該回転軸２３を支点として回転し、渦線３１を引っ張り、この時、該渦線３１が巻きつき方式で該駆動軸３２に巻きつき、該駆動軸３２が引っ張られた渦線３１により回転し、渦巻きばね連動ユニット３内の渦巻きばね３１もねじられ、伝動軸３３及び脱水ユニット４を連動し、伴って回転する。反対に、使用者が施力板２１を放す時、上記ねじれた渦巻きばね３１が回復の作用力を発生し、駆動軸３２を逆向きに回転させる。同様に、伝動軸３３及び脱水ユニット４を連動し、伴って逆向きの回転を行う。反復した踏み込み、開放により、正逆回転の遠心力を利用し、脱水装置４内に載置したモップの水分をとり、脱水の効果を発生する。脱水する水は、容積が本体１内である。
【００１８】
本考案及び公知の歯車を伝動とした脱水機を比較すると、構成要素が簡単であり、組み立てが容易であり、ねじり力も実験測定の結果、公知よりも大きく、且つ電力を浪費せず、軽快な脱水を行うことができ、経済的で、省エネ且つ環境保全にしている。
【００１９】
上記のように、本考案の脱水装置は、その技術内容が完全に実用新案の取得用件に適合している。本願は、産業上確実に利用を得ることができ、出願前の刊行物に見られず、公開使用されておらず、且つ公衆に周知の技術ではない。更に、本願は、従来技術中に長期存在する問題を解決し、関連使用者および消費者の長期な要求を達成し、本実用新案を得ることは、容易に完成されるものではない。本願は、専利法規定の「産業利用性」、「新規性」及び「進歩性」等の用件を具備する。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
１  本体
１０  貫通孔
１１  収容空間
１９  軸受け
２  駆動ユニット
２１  施力板
２２  駆動部
２２０  第３固定部
２２１  固定溝
２３  回転軸
２４  軸ブラケット
３  渦巻きばね連動ユニット
３０  スリーブ
３１  渦線
３２  駆動軸
３２１  第１固定部
３２２  第２固定部
３３  伝動軸
３４  渦巻きばね
３５  第１渦巻きばねソケット
３６  第２渦巻きばねソケット
４  脱水ユニット
４１  脱水容器
４１０  脱水孔
【図１】
0003152725.tif 000003
【図２】
0003152725.tif 000004
【図３】
0003152725.tif 000005
【図４】
0003152725.tif 000006
【図５】
0003152725.tif 000007
【図６】
0003152725.tif 000008
【手続補正書】
【提出日】平成21年6月5日(2009.6.5)
【手続補正１】
【補正対象書類名】実用新案登録請求の範囲
【補正対象項目名】全文
【補正方法】変更
【補正の内容】
【実用新案登録請求の範囲】
【請求項１】
底部に貫通孔を設けた、容器状を呈する本体と、
施力板を含み、該施力板が駆動部及び回転軸を接続し、該回転軸が軸ブラケットにピン接合し、該施力板と、該駆動部と、該回転軸と、該軸ブラケットと、が回転軸を支点として構成され、該施力板及び該駆動部をレバーアームの梃子状態構造としてなり、該駆動部上に第３固定部を設けてなる、駆動ユニットと、
弾性を有する渦線を含み、該渦線の一端が上記駆動ユニット上の第３固定部に固定接続され、該渦線の該第３固定部と固定接続するもう一端が駆動軸上の第２固定部に巻きつき固定接続されてなり、該駆動軸が更に、第１固定部を設け、弾性を有する渦巻きばねの一端を固定接続させることができ、該渦巻きばねの該第１固定部と固定されるもう一端が第１渦巻きばねソケット及び第２渦巻きばねソケット内に固定され、該第１渦巻きばねソケット及び該第２渦巻きばねソケットが上記本体外に固定され、該駆動軸の上記渦線と固定接続されるもう一端が上記本体の貫通孔を貫通する伝動軸に接続し、該伝動軸と上記第１渦巻きばねソケットの間にスリーブを設けてなる、渦巻きばね連動ユニットと、
脱水ユニットであって、該脱水ユニットは、上記本体内に位置し、上記渦巻きばね連動ユニットの伝動軸の駆動軸と接続せるもう一端に設置され、該脱水ユニットが脱水容器を有し、該脱水容器表面に複数の脱水孔を設ける脱水ユニットと、
を含む脱水装置。
【請求項２】
前記本体外に収容空間を設け、該収容空間内に軸受けを設け、該駆動ユニット及び渦巻きばね連動ユニットが更に上記収容空間内に設置され、該駆動ユニットの回転軸及び軸ブラケットが該収容空間の軸受け箇所に設けられる請求項１記載の脱水装置。
【請求項３】
前記駆動部上に固定溝を設け、該渦線と該駆動部の係止箇所が該固定溝である請求項１記載の脱水装置。